(57)【要約】【課題】平面視で略六角形状に配置される熱交換器を有する室外機において、いわゆるショートサーキットを防止すること。【解決手段】ヒートポンプチラー（10）は、内部に圧縮機等を収容したケーシング（11）と、ケーシング（11）の側面部に配置され、且つ上下方向に延びる４つの平板状の空気熱交換器（22，22，24，24）とを備えている。２つの空気熱交換器（22，24）が第１熱交換器本体（21）と第２熱交換器本体（23）とを構成している。第１熱交換器本体（35）および第２熱交換器本体（36）の上方に設けられると共に、平面視においてケーシング（12）の側面から第１熱交換器本体（35）および第２熱交換器本体（36）の外側に張り出す第１庇部（13a）および第２庇部（13b）とを備えている。【選択図】図１
2013079735.tif 000002
【特許請求の範囲】
【請求項１】
ケーシング（12）と、該ケーシング（12）の側面部に配置され、且つ上記ケーシング（12）の側面部に沿って延びる熱交換器本体（35,36）を備え、該熱交換器本体（35,36）が平面視において中央部が上記ケーシング（12）の外側に位置する頂部（39）を有して形成された室外機であって、
上記ケーシング（12）の上方から上記熱交換器本体（35,36）で熱交換された空気を外部に吹き出す吹出口（14）と、
上記熱交換器本体（35,36）の上方に設けられると共に、平面視において上記ケーシング（12）の側面から上記熱交換器本体（35,36）の外側に張り出す庇部材（13a,13b）とを備えている
ことを特徴とする室外機。
【請求項２】
請求項１において、
上記熱交換器本体（35,36）は、上記ケーシング（12）の両側面部に配置され、且つ上記ケーシング（12）の両側面部に沿って延びる第１熱交換器本体（35）および第２熱交換器本体（36）を備え、上記第１熱交換器本体（35）および第２熱交換器本体（36）が平面視において中央部が上記ケーシング（12）の外側に位置する鈍角の頂部（39）を形成するように該ケーシング（12）の外側方向に拡がる直線状の第１熱交換部（37）と第２熱交換部（38）とを備え、
上記庇部材（13a,13b）は、上記第１熱交換器本体（35）および第２熱交換器本体（36）の上方に設けられると共に、平面視において上記ケーシング（12）の側面から上記第１熱交換器本体（35）および第２熱交換器本体（36）の外側に張り出す第１庇部材（13a）および第２庇部材（13b）とを備えている
ことを特徴とする室外機。
【請求項３】
請求項１又は２において、
上記庇部材（13a,13b）の側面は、平面視において上記頂部（39）以外に位置すると共に、上記ケーシング（12）の長手方向に沿って直線状に延びて形成されている
ことを特徴とする室外機。
【請求項４】
請求項１〜３の何れか１つにおいて、
上記庇部材（13a,13b）に取り付けられると共に、上記熱交換器本体（35,36）に水を噴射する水まき装置（60）を備えている
ことを特徴とする室外機。
【請求項５】
請求項１〜４の何れか１つに記載された室外機（11）を備えている
ことを特徴とする冷凍装置。
【発明の詳細な説明】
【技術分野】
【０００１】
本発明は、室外機及び該室外機を備えた冷凍装置に関し、特に、外部空気の取り込み構造に係るものである。
【背景技術】
【０００２】
従来、冷凍装置には、特許文献１に示すように、建物の屋上に配設される大型のヒートポンプチラーが知られている。このヒートポンプチラーの室外機は、平面視で略六角形状に形成され、且つ相対向する両側に空気吸込口を有するケーシングと、上記空気吸込口に配置される複数の平板状の熱交換器と、上記ケーシングの上面に形成された空気吹出口の内部に配置された送風ファンとを備えている。このヒートポンプチラーでは、例えば３台の室外機を並べて設置される。そして、各室外機は、隣り合う室外機の間の隙間から空気を取り込む際に該空気を熱交換し、ケーシングの上端から上方へ吹き出すようにしていた。
【先行技術文献】
【特許文献】
【０００３】
【特許文献１】特開２０１０−２１６７９８号公報
【発明の概要】
【発明が解決しようとする課題】
【０００４】
しかしながら、上述したヒートポンプチラーでは、ケーシングの上端から上方へ吹き出された空気が再び熱交換器を介してケーシング内に取り込まれる、いわゆるショートサーキットが発生してしまうことがあった。これにより、ヒートポンプチラーの熱交換効率が低下してしまうという問題があった。
【０００５】
本発明は、斯かる点に鑑みてなされたものであり、平面視で略六角形状に配置される熱交換器を有する室外機において、いわゆるショートサーキットを防止することを目的とする。
【課題を解決するための手段】
【０００６】
第１の発明は、ケーシング（12）と、該ケーシング（12）の側面部に配置され、且つ上記ケーシング（12）の側面部に沿って延びる熱交換器本体（35,36）を備え、該熱交換器本体（35,36）が平面視において中央部が上記ケーシング（12）の外側に位置する頂部（39）を有して形成された室外機であって、上記ケーシング（12）の上方から上記熱交換器本体（35,36）で熱交換された空気を外部に吹き出す吹出口（14）と、上記熱交換器本体（35,36）の上方に設けられると共に、平面視において上記ケーシング（12）の側面から上記熱交換器本体（35,36）の外側に張り出す庇部材（13a,13b）とを備えている。
【０００７】
上記第１の発明では、ケーシング（12）の外部の空気は、熱交換器本体（35,36）の外側からケーシング（12）の内部に流れる。ケーシング（12）の内部に流れ込む空気は、熱交換器本体（35,36）を通過する際に熱交換される。ケーシング（12）の内部の熱交換された空気は、ケーシング（12）の上方から外部に吹き出される。ここで、庇部材（13a,13b）は、熱交換器本体（35,36）の上方のケーシング（12）に設けられ、そこから平面視において熱交換器本体（35,36）の外側に張り出している。庇部材（13a,13b）は、ケーシング（12）から吹き出された空気が熱交換器本体（35,36）に流れるのを阻止する。こうすることで、いわゆるショートサーキットを防止することができる。
【０００８】
第２の発明は、上記第１の発明において、上記熱交換器本体（35,36）は、上記ケーシング（12）の両側面部に配置され、且つ上記ケーシング（12）の両側面部に沿って延びる第１熱交換器本体（35）および第２熱交換器本体（36）を備え、上記第１熱交換器本体（35）および第２熱交換器本体（36）が平面視において中央部が上記ケーシング（12）の外側に位置する鈍角の頂部（39）を形成するように該ケーシング（12）の外側方向に拡がる直線状の第１熱交換部（37）と第２熱交換部（38）とを備え、上記庇部材（13a,13b）は、第１熱交換器本体（35）および第２熱交換器本体（36）の上方に設けられると共に、平面視において上記ケーシング（12）の側面から上記第１熱交換器本体（35）および第２熱交換器本体（36）の外側に張り出す第１庇部材（13a）および第２庇部材（13b）とを備えている。
【０００９】
上記第２の発明では、ケーシング（12）の外部の空気は、第１熱交換器本体（35）および第２熱交換器本体（36）の外側からそれぞれの第１熱交換部（37）および第２熱交換部（38）を通過してケーシング（12）の内部に流れる。ケーシング（12）の内部に流れ込む空気は、第１熱交換部（37）および第２熱交換部（38）を通過する際に熱交換される。ケーシング（12）の内部の熱交換された空気は、ケーシング（12）の上方から外部に吹き出される。ここで、第１庇部材（13a）および第２庇部材（13b）は、第１熱交換器本体（35）および第２熱交換器本体（36）の上方のケーシング（12）に設けられ、そこから平面視において第１熱交換器本体（35）および第２熱交換器本体（36）の外側に張り出している。
【００１０】
第１庇部材（13a）および第２庇部材（13b）は、ケーシング（12）から吹き出された空気が第１熱交換器本体（35）および第２熱交換器本体（36）に流れるのを阻止する。こうすることで、いわゆるショートサーキットを防止することができる。
【００１１】
第３の発明は、上記第１又は第２の発明において、上記庇部材（13a,13b）の側面は、平面視において上記頂部（39）以外に位置すると共に、上記ケーシング（12）の長手方向に沿って直線状に延びて形成されている。
【００１２】
上記第３の発明では、庇部材（13a,13b）の側面が平面視において頂部（39）以外に位置し、且つケーシング（12）の長手方向に直線状に延びて形成されている。このため、複数台の室外機を並べて設置した場合に隣り合う室外機の庇部材（13a,13b）の側面同士を隙間なく設置することができる。これにより、ケーシング（12）の上方に吹き出された空気が庇部材（13a,13b）よりも下方に流れるのを防止することができる。
【００１３】
第４の発明は、上記第１〜第３の発明の何れか１つにおいて、上記庇部材（13a,13b）に取り付けられると共に、上記熱交換器本体（35,36）に水を噴射する水まき装置（60）を備えている。
【００１４】
上記第４の発明では、庇部材（13a,13b）に取り付けられる水まき装置（60）が熱交換器本体（35,36）に水を噴射する。こうすることで、熱交換器本体（35,36）の熱交換性能が向上する。
【００１５】
第５の発明は、上記第１〜第４の発明の何れか１つに係る室外機（11）を備えている。
【００１６】
上記第５の発明に係る冷凍装置では、室外機（11）を備えている。
【発明の効果】
【００１７】
上記第１の発明によれば、庇部材（13a,13b）を設けたため、ケーシング（12）の上方に吹き出された空気が庇部材（13a,13b）よりも下方に流れるのを防止することができる。このため、ケーシング（12）の上方から吹き出された空気が再び熱交換器本体（35,36）を介してケーシング（12）の内部に取り込まれるのを防止することができる。これにより、室外機における、いわゆるショートサーキットを防止することができる。
【００１８】
上記第２の発明によれば、第１庇部材（13a）および第２庇部材（13b）を設けたため、ケーシング（12）の上方に吹き出された空気が第１庇部材（13a）および第２庇部材（13b）よりも下方に流れるのを防止することができる。このため、ケーシング（12）の上方から吹き出された空気が再び熱交換器本体（35,36）を介してケーシング（12）の内部に取り込まれるのを防止することができる。これにより、室外機における、いわゆるショートサーキットを防止することができる。
【００１９】
上記第３の発明によれば、庇部材（13a,13b）の側面を頂部（39）以外の位置において直線状に形成したため、室外機を並べて設置した場合に隣り合う室外機の庇部材（13a,13b）同士を隙間なく設置することができる。これにより、ケーシング（12）の上方に吹き出された空気が庇部材（13a,13b）よりも下方に流れるのを防止することができる。
【００２０】
上記第４の発明によれば、庇部材（13a,13b）に水まき装置（60）を設けたため、熱交換器本体（35,36）に簡単に水をまくことができる。これにより、熱交換器本体（35,36）の熱交換性能を向上させることができる。
【図面の簡単な説明】
【００２１】
【図１】図１は、実施形態１に係るヒートポンプチラーの室外機を一側面側から視た斜視図である。
【図２】図２は、実施形態１に係るヒートポンプチラーの室外機を他側面側から視た斜視図である。
【図３】図３は、実施形態１に係るヒートポンプチラーの室外機を示す正面図である。
【図４】図４は、実施形態１に係るヒートポンプチラーの室外機を示す背面図である。
【図５】図５は、実施形態１に係るヒートポンプチラーの室外機を示す左側面図である。
【図６】図６は、実施形態１に係るヒートポンプチラーの室外機を示す右側面図である。
【図７】図７は、実施形態１に係るヒートポンプチラーの室外機を示す上面図である。
【図８】図８は、実施形態１に係るヒートポンプチラーの室外機を示す底面図である。
【図９】図９は、実施形態１に係るヒートポンプチラーの室外機を示す縦断面図である。
【図１０】図１０は、実施形態２に係るヒートポンプチラーの室外機を他側面側から視た斜視図である。
【図１１】図１１は、実施形態２の変形例に係るヒートポンプチラーの室外機を他側面側から視た斜視図である。
【発明を実施するための形態】
【００２２】
以下、実施形態を図面に基づいて詳細に説明する。
【００２３】
〈発明の実施形態１〉
本実施形態１の冷凍装置は、図１〜図８に示すように、ヒートポンプチラー（10）を構成している。このヒートポンプチラー（10）は、ビル等の建物の屋上に設置されて該建物内に供給される空調用水を冷却又は加熱するための室外機（11）を備えている。ヒートポンプチラー（10）は、設置規模や目的に応じて複数台の室外機（11）が幅方向に並列に配置されるものである。
【００２４】
上記各ヒートポンプチラー（10）は、冷媒回路（図示なし）を有するケーシング（12）を備えている。
【００２５】
上記ケーシング（12）は、上端に形成されたファンケーシング（13）と、下端に形成された下端壁（18）と、ファンケーシング（13）と下端壁（18）との間に設けられる本体部（20）とを備えている。
【００２６】
上記ファンケーシング（13）は、図９に示すように、その内部に送風ファン（17）を収容し、ケーシング（12）の上端部に配置されている。
【００２７】
上記ファンケーシング（13）は、平面視で略長方形状のやや薄型の箱体に形成されている。ファンケーシング（13）は、ケーシング（12）の上端部に設けられている。ファンケーシング（13）は、図示はしないが、下端の本体部（20）に対応する部分が開口している。また、ファンケーシング（13）の上端面には、長手方向に沿って４つの空気の吹出口（14,14,14,14）が並んで形成されている。各吹出口（14）には、その開口面を覆うようにファンガードが取り付けられている。ファンガードは、送風ファン（17）の保護網である。ケーシング（12）内の空気に含まれる塵埃は、ケーシング（12）の外部に吹き出される際に各フィルタに捕捉される。また、ファンケーシング（13）の内部には、各吹出口（14）に対応した送風ファン（17）が４つ設けられ、各送風ファン（17）の周囲にはベルマウス（16）が設けられている。
【００２８】
ファンケーシング（13）は、その両側面（15a,15b）が後述する本体部（20）の最外部と対応する位置まで外側に拡がって形成されている。具体的には、ファンケーシング（13）の一の側面（15a）は、平面視において第１熱交換器本体（35）の中央部でケーシング（12）の外側に位置する鈍角の頂部（39）の位置まで張り出して形成され、且つケーシング（12）の長手方向に直線状に延びて形成されている。そして、ファンケーシング（13）のうち、平面視において第１熱交換器本体（35）の外側に張り出した部分は第１庇部（13a）を構成している。尚、この第１庇部（13a）は本発明に係る第１庇部材を構成している。
【００２９】
一方、ファンケーシング（13）の他の側面（15b）は、平面視において第２熱交換器本体（36）の中央部でケーシング（12）の外側に位置する鈍角の頂部（39）の位置まで張り出して形成され、且つケーシング（12）の長手方向に直線状に延びて形成されている。そして、ファンケーシング（13）のうち、平面視において第２熱交換器本体（36）の外側に張り出した部分は第２庇部（13b）を構成している。尚、この第２庇部（13b）は本発明に係る第２庇部材を構成している。
【００３０】
この第１庇部（13a）および第２庇部（13b）によって吹出口（14）からケーシング（12）の上方へ吹き出された空気がファンケーシング（13）よりも下方に流れて空気熱交換器（37,37,38,38）に流入する、いわゆるショートサーキットを阻止することができる。
【００３１】
上記送風ファン（17）は、軸流送風機（例えばプロペラファン）に構成されている。上記送風ファン（17）は、４箇所の吹出口（14）にそれぞれ対応して４つ設けられ、外部からケーシング（12）内へ空気を吸い込むと共に、該空気をファンケーシング（13）および吹出口（14）を介して外部へ吹き出すよう構成されている。上記ベルマウス（16）は、略円筒状に形成され、送風ファン（17）の周囲を囲むようにファンケーシング（13）内に設けられている。
【００３２】
上記ケーシング（12）の本体部（20）は、上側方向からの平面視において略六角形になるように形成されている。このケーシング（12）の本体部（20）の六角形の頂点をなす部分には、ケーシング（12）の長辺に設けられる２本の長辺支柱（21）と、ケーシング（12）の短辺に設けられる４本の短辺支柱（22）とがそれぞれ上下方向に延びて立設している。上記ケーシング（12）の本体部（20）は、長辺支柱（21）および短辺支柱（22）によってケーシング（12）の長手方向に沿った側面に４面の開口部（27,28）を形成している。この開口部（27,28）は、下端壁（18）からファンケーシング（13）まで延びて形成されている。また、ケーシング（12）の本体部（20）は、２本の長辺支柱（21,21）を跨るように仕切板（26）が形成されている。この仕切板（26）は、本体部（20）の内部を２つの部屋に仕切るための部材であって、下端壁（18）からファンケーシング（13）までに亘って上下方向に延びて立設している。
【００３３】
上記ケーシング（12）の本体部（20）には、補強材（25）が設けられている。この補強材（25）は、断面が略凹状の棒体に形成され、各支柱（21,22）の中位よりもやや下方となる高さで長辺支柱（21）と短辺支柱（22）との間に跨るように配置されている。上記開口部（27,28）は、補強材（25）によって上側開口部（27）と下側開口部（28）とに区画されている。各補強材（25）は、各空気熱交換器（37,37,38,38）に沿って設けられ、一の補強材（25）に一の空気熱交換器（37,37,38,38）が載せられている。こうすることで、補強材（25）は、各空気熱交換器（37,37,38,38）を下方から支持すると共に、この空気熱交換器（37,37,38,38）から発生したドレン水を貯留するように構成されている。すなわち、各補強材（25）は、各空気熱交換器（37,37,38,38）を支持する支持部材として機能すると共に、ドレンパンとしても機能する部材である。尚、補強材（25）は本発明に係る補強部材を構成している。
【００３４】
上側開口部（27）には、長辺支柱（21）と短辺支柱（22）との間に各空気熱交換器（37,37,38,38）が形成され、下側開口部（28）には、ケーシング（12）の長手方向の両短辺支柱（22,22）の間に直線状に延びる機械室カバー（32）が形成されている。つまり、開口部（27,28）は、上方に平面視で外側に拡がるように配置される空気熱交換器（37,37,38,38）が形成される一方、下方に平面視で直線状に延びる機械室カバー（32）が形成されている。機械室カバー（32）の外側は、ケーシング（12）の側面に開口する空気通路（41,42）が形成され、機械室カバー（32）の内側は、機械室（29）が形成されている。また、各長辺支柱（21）と機械室カバー（32）との間には中央通路（45）が形成されている。
【００３５】
また、上記ケーシング（12）の短辺側は正面部と背面部とを構成している。ケーシング（12）の短辺側の正面部は正面壁（23）に構成されている。正面壁（23）には、ケーシング（12）内の圧縮機（50）等の機器類をメンテナンスするための正面開口が形成され、正面開口には、正面扉（23a）が設けられている。また、ケーシング（12）の短辺側の背面部は背面壁（24）に構成されている。背面壁（24）には、ケーシング（12）内の電装品箱（53）等の機器類をメンテナンスするための背面開口が形成され、背面開口には、背面扉（24a）が設けられている。
【００３６】
上記空気熱交換器（37,37,38,38）は、４つの空気熱交換器（37,37,38,38）によって構成されている。該各空気熱交換器（37,37,38,38）は、ケーシング（12）の両側面に形成される上記４つの上側開口部（27,27,27,27）のそれぞれに嵌め込まれている。つまり、上記各空気熱交換器（37,37,38,38）はケーシング（12）の外壁を構成している。
【００３７】
上記各空気熱交換器（37,37,38,38）は、平板状に形成され、平面視において、直線状に延びる空気熱交換器で構成されている。４枚の空気熱交換器（37,37,38,38）は、ケーシング（12）の本体部（20）の長手方向の側面部につき２枚ずつ配設されている。具体的に、各空気熱交換器（37,37,38,38）は、ケーシング（12）の補強材（25）と、ファンケーシング（13）と、短辺支柱（22）と、長辺支柱（21）とで囲まれる上側開口部（27）に形成されている。そして、各空気熱交換器（37,37,38,38）がそれぞれ熱交換部を構成している。
【００３８】
上記４枚の空気熱交換器（37,37,38,38）のうち、ケーシング（12）の本体部（20）の長辺の一側面部に配置される２つの空気熱交換器（37,38）が１つの第１熱交換器本体（35）を構成し、ケーシング（12）の本体部（20）の長辺の他側面部に配置される２つの空気熱交換器（37,38）が１つの第２熱交換器本体（36）を構成している。具体的に、上記第１熱交換器本体（35）は、図１において、ケーシング（12）の本体部（20）の手前側の側面部に配置され、上記第２熱交換器本体（36）は、ケーシング（12）の本体部（20）の奥側の側面部に配置されている。
【００３９】
第１熱交換器本体（35）は、ケーシング（12）の長手方向の一端側に配置される第１空気熱交換器（37）と、他端側に配置される第２空気熱交換器（38）とにより構成されている。また、上記第２熱交換器本体（36）は、同じくケーシング（12）の長手方向の一端側に配置される第１空気熱交換器（37）と、他端側に配置される第２空気熱交換器（38）とにより構成されている。そして、第１空気熱交換器（37）と第２空気熱交換器（38）とは互いに独立して構成されている。
【００４０】
上記第１熱交換器本体（35）の第１空気熱交換器（37）と第２熱交換器本体（36）の第１空気熱交換器（37）とは、延長線上の交点が平面視で観て鋭角をなすように配設されている。そして、上記鋭角をなす第１空気熱交換器（37,37）の外端部は、所定の間隔を存して配設されている。つまり、鋭角をなす２つの第１空気熱交換器（37,37）の外端部（37a,37a）の間に上述した正面壁（23）が形成され、その正面壁（23）にメンテナンス用の補助開口が形成されている。
【００４１】
上記第１熱交換器本体（35）の第２空気熱交換器（38）と上記第２熱交換器本体（36）の第２空気熱交換器（38）とは、延長線上の交点が平面視で観て鋭角をなすように配設されている。そして、上記鋭角をなす第２空気熱交換器（38,38）の外端部は、所定の間隔を存して配設されている。つまり、上記鋭角をなす２つの第２空気熱交換器（38,38）の外端部（38a,38a）の間に上述した背面壁（24）が形成され、その背面壁（24）にメンテナンス用の補助開口が形成されている。
【００４２】
上記第１熱交換器本体（35）の第１空気熱交換器（37）と第２空気熱交換器（38）とは、平面視において、上記第１熱交換器本体（35）の中央部がケーシング（12）の外側に位置する鈍角の頂部（39）を形成するように配置されている。この頂部（39）の形成位置には、ケーシング（12）の本体部（20）の一側面側の長辺支柱（21）が上下方向に立設されている。また、上記第２熱交換器本体（36）の第１空気熱交換器（37）と第２空気熱交換器（38）とは、平面視において上記第２熱交換器本体（36）の中央部がケーシング（12）の外側に位置する鈍角の頂部（39）を形成するように配置されている。この頂部（39）の形成位置には、ケーシング（12）の本体部（20）の他側面側の長辺支柱（21）が上下方向に立設されている。
【００４３】
そして、上記第１熱交換器本体（35）において、頂部（39）を形成する第１空気熱交換器（37）の内端部（37b）と第２空気熱交換器（38）の内端部（38b）とは、互いに近接するように配設されている。また、第２熱交換器本体（36）において、頂部（39）を形成する第１空気熱交換器（37）の内端部（37b）と第２空気熱交換器（38）の内端部（38b）とは、互いに近接するように配設されている。
【００４４】
つまり、第１空気熱交換器（37）の内端部（37b）と第２空気熱交換器（38）の内端部（38b）とは、平面視において、略六角形に形成された外壁の頂部（39）の一つを形成している。また、上記送風ファン（17）は、ケーシング（12）の上側方向から観た平面視において第１熱交換器本体（35）と第２熱交換器本体（36）とに囲まれた領域に設けられている。尚、第１空気熱交換器（37）は本発明に係る第１熱交換部を構成し、第２空気熱交換器（38）は本発明に係る第２熱交換部を構成している。
【００４５】
上記正面扉（23a）は、取り外し可能な板金に形成されている。正面扉（23a）は、ケーシング（12）の短辺側の正面壁（23）に設けられたメンテナンス用の正面開口に、ケーシング（12）の下端壁（18）からファンケーシング（13）に亘って複数設けられている。したがって、作業者は、正面扉（23a）を外してケーシング（12）内の電装品箱等をメンテナンスすることができる。
【００４６】
上記背面扉（24a）は、取り外し可能な板金に形成されている。背面扉（24a）は、ケーシング（12）の短辺側の背面壁（24）に設けられたメンテナンス用の背面開口に設けられている。したがって、作業者は、背面扉（24a）を開けてケーシング（12）内の電装品箱（53）などをメンテナンスすることができる。
【００４７】
上記機械室（29）は、第１機械室（30）と第２機械室（31）とで構成され、機械室カバー（32）は、第１カバー（33）と第２カバー（34）とで構成されている。
【００４８】
上記第１機械室（30）は、第１熱交換器本体（35）の第１空気熱交換器（37）および第２熱交換器本体（36）の第１空気熱交換器（37）の下方に形成されている。第１機械室（30）には、正面壁（23）を構成する２本の短辺支柱（22,22）からそれぞれケーシング（12）の長手方向に沿って延びる２枚の第１カバー（33,33）が立設されている。上記第１機械室（30）には、図９に示すように、内部に冷媒を圧縮する６台の圧縮機（50）が配置されている。そして、２枚の第１カバー（33）の外側は、それぞれに第１通路部（43）が形成されている。
【００４９】
上記第２機械室（31）は、第１熱交換器本体（35）の第２空気熱交換器（38）および第２熱交換器本体（36）の第２空気熱交換器（38）の下方に形成されている。第２機械室（31）には、背面壁（24）を構成する２本の短辺支柱（22,22）からそれぞれケーシング（12）の長手方向に沿って延びる第２カバー（34,34）が立設されている。第２機械室（31）には、図９に示すように、温調対象となる空調用水を温調する１台の水熱交換器（51,51）、２台の膨張機及び電装品箱（53）などが設けられている。水熱交換器（51）は、一台で２つの冷媒回路に対して接続されている。そして、２枚の第２カバー（34,34）の外側は、それぞれに第２通路部（44）が形成されている。
【００５０】
上記４つの通路部（43,43,44,44）のうち、ケーシング（12）の長辺の一側面部に配置される２つの通路部（43,44）が１つの第１空気通路（41）を構成し、ケーシング（12）の長辺の他側面部に配置される２つの通路部（43,44）が１つの第２空気通路（42）を構成している。具体的に、第１空気通路（41）は、ケーシング（12）の第１熱交換器本体（35）の下方において側面に開口して形成されている。また、第２空気通路（42）は、ケーシング（12）の第２熱交換器本体（36）の下方において側面に開口して形成されている。
【００５１】
第１空気通路（41）は、ケーシング（12）の長手方向の一端側に配置される第１通路部（43）と、他端側に配置される第２通路部（44）とにより構成されている。また、上記第２空気通路（42）は、同じくケーシング（12）の長手方向の一端側に配置される第１通路部（43）と、他端側に配置される第２通路部（44）とにより構成されている。
【００５２】
ケーシング（12）の一側面部の第１通路部（43）は、第１熱交換器本体（35）の第１空気熱交換器（37）の下方に形成されている。また、ケーシング（12）の他側面部の第１通路部（43）は、第２熱交換器本体（36）の第１空気熱交換器（37）の下方に形成されている。各第１通路部（43）には、ケーシング（12）の一端部の隙間から流入した空気が流れる。
【００５３】
ケーシング（12）の一側面部の第２通路部（44）は、第１熱交換器本体（35）の第２空気熱交換器（38）の下方に形成されている。ケーシング（12）の他側面部の第２通路部（44）は、第２熱交換器本体（36）の第２空気熱交換器（38）の下方に形成されている。各第２通路部（44）には、ケーシング（12）の他端部の隙間から流入した空気が流れる。      
【００５４】
尚、第１通路部（43）と第２通路部（44）は、後述するように中央通路（45）によって連通している。
【００５５】
圧縮機（50）、水熱交換器（51）、四路切換弁（図示なし）、膨張機及び上記各空気熱交換器（37,37,38,38）は、蒸気圧縮式の冷媒回路を構成している。この冷媒回路は、第１冷媒回路と第２冷媒回路を備え、それぞれ独立して運転することができるように構成されている。つまり、各冷媒回路は、それぞれ四路切換弁（図示なし）を切り換えることで冷媒を可逆に循環させて空調用水を冷却又は加熱することができる。
【００５６】
上記第１冷媒回路は、３台の圧縮機（50）、水熱交換器（51）、四路切換弁（図示なし）、膨張機および２つの第１空気熱交換器（37,37）を備えている。第２冷媒回路は、３台の圧縮機（50）、水熱交換器（51）、四路切換弁（図示なし）、膨張機および２つの第２空気熱交換器（38,38）を備えている。つまり、本実施形態１に係るヒートポンプチラー（10）では、第１冷媒回路と第２冷媒回路を別々に動作させることで、２つの第１空気熱交換器（37,37）と、２つの第２空気熱交換器（38,38）とがそれぞれ独立して動作可能になっている。
【００５７】
尚、機械室（29）の内部に設けられるのは、圧縮機（50）、水熱交換器（51）、膨張機及び電装品箱（53）に限られない。また、電装品箱（53）には、ヒートポンプチラー（10）の運転を制御するためのインバータ回路の電気基板や配線等が収容されている。
【００５８】
上記中央通路（45）は、機械室カバー（32）で構成されるケーシング（12）の外壁と長辺支柱（21）との間に形成される空気通路であって、本発明に係る空気連通部を構成している。この中央通路（45）は、第１通路部（43）と第２通路部（44）とを連通させ、両通路（43,44）の空気を互いに行き来させることができる。中央通路（45）は、第１通路部（43）を流れる空気を第２通路部（44）に供給する一方、第２通路部（44）を流れる空気を第１通路部（43）に供給することができる。
【００５９】
−運転動作−
次に、本実施形態１の運転動作について説明する。
【００６０】
まず、ヒートポンプチラー（10）は、送風ファン（17）を運転すると、ケーシング（12）の外部の空気を第１熱交換器本体（35）及び第２熱交換器本体（36）を介してケーシング（12）内に取り込む。例えば複数の室外機（11）を幅方向に並べて設置した場合、ケーシング（12）の外部の空気は、ケーシング（12）の長手方向の両端部に形成された隙間から第１熱交換器本体（35）および第２熱交換器本体（36）の外側を流れて第１空気熱交換器（37）および第２空気熱交換器（38）を介してケーシング（12）内に取り込まれる。
【００６１】
また、ケーシング（12）の外部の空気は、ケーシング（12）の長手方向の一端部の隙間から両側部の第１通路部（43）へ流入する。第１通路部（43）を流れる空気は、上方に流れてそれぞれ両側面の第１空気熱交換器（37）の外側に導かれる。
【００６２】
各第１通路部（43）を流れる空気は、ケーシング（12）の長手方向に流れて上昇し、各熱交換器本体（35,36）の第１空気熱交換器（37,37）を通過して、ケーシング（12）の内部に流れる。そして、この空気は、各第１空気熱交換器（37）を通過する際に熱交換される。第１通路部（43）を流れる空気の一部は、中央通路（45）を通過して第２通路部（44）へ供給される。
【００６３】
また、ケーシング（12）の外部の空気は、ケーシング（12）の長手方向の他端部の隙間から両側部の第２通路部（44）へ流入する。第２通路部（44）を流れる空気は、上方に流れてそれぞれ両側面の第２空気熱交換器（38）の外側に導かれる。また、第２通路部（44）を流れる空気の一部は、中央通路（45）を介して連通する第１通路部（43）へ供給される。
【００６４】
第２通路部（44）を流れる空気は、ケーシング（12）の長手方向に流れて上昇し、各熱交換器本体（35,36）の第２空気熱交換器（38,38）を通過して、ケーシング（12）の内部に流れる。そして、この空気は、各第２空気熱交換器（38,38）を通過する際に熱交換される。第２通路部（44）を流れる空気の一部は、中央通路（45）を通過して第１通路部（43）へ供給される。
【００６５】
上述したように、第１通路部（43）と第２通路部（44）は、中央通路（45）を介して互いに連通しているため、両通路（43,44）を流れる空気は、互いに行き来することができる。このため、中央通路（45）を流れる空気の流量が増加する。
【００６６】
そして、各空気熱交換器（37,37,38,38）を通過してケーシング（12）内に取り込まれた空気は、上方の送風ファン（17）を通過して吹出口（14）を介してケーシング（12）の上方に吹き出される。
【００６７】
次に、水熱交換器（51）における空調用水を冷却用として使用する場合の冷媒回路の動作について説明する。
【００６８】
まず、第１冷媒回路では、圧縮機（50）の運転を開始し、該圧縮機（50）で冷媒を圧縮する。上記圧縮機（50）から吐出された圧縮冷媒は、第１空気熱交換器（37,37）に流入する。第１熱交換器本体（35）及び第２熱交換器本体（36）では、ケーシング（12）の外部空気が各熱交換器本体（35,36）を構成する第１空気熱交換器（37,37）を通過する際に、冷媒の熱を空気に放熱してケーシング（12）内に取り込まれた空気を加熱する。そして、空気に放熱して冷却された冷媒は、膨張弁で膨張した後、水熱交換器（51）に流入する。該水熱交換器（51）では、冷媒が水熱交換器（51）内を流れる空調用水から吸熱して空調用水が冷却される。冷却された空調用水は、建物内へ供給される。水熱交換器（51）を流出した冷媒は、再び圧縮機（50）に吸入されて圧縮される。
【００６９】
第２冷媒回路では、圧縮機（50）の運転を開始し、該圧縮機（50）で冷媒を圧縮する。上記圧縮機（50）から吐出された圧縮冷媒は、第２空気熱交換器（38,38）に流入する。第１熱交換器本体（35）及び第２熱交換器本体（36）では、ケーシング（12）の外部空気が各熱交換器本体（35,36）を構成する第２空気熱交換器（38,38）を通過する際に、冷媒の熱を空気に放熱してケーシング（12）内に取り込まれた空気を加熱する。そして、空気に放熱して冷却された冷媒は、膨張弁で膨張した後、水熱交換器（51）に流入する。該水熱交換器（51）では、冷媒が水熱交換器（51）内を流れる空調用水から吸熱して空調用水が冷却される。冷却された空調用水は、建物内へ供給される。水熱交換器（51）を流出した冷媒は、再び圧縮機（50）に吸入されて圧縮される。
【００７０】
また、上記水熱交換器（51）における空調用水を暖房用として使用する場合の冷媒回路の動作について説明する。
【００７１】
上記第１冷媒回路では、圧縮機（50）の運転を開始し、該圧縮機（50）で冷媒を圧縮する。上記圧縮機（50）から吐出された圧縮冷媒は、水熱交換器（51）に流入する。水熱交換器（51）では、冷媒が水熱交換器（51）内を流れる空調用水へ放熱して空調用水が加熱される。加熱された空調用水は、建物内へ供給される。水熱交換器（51）を流出した冷媒は、膨張弁で膨張した後、第１空気熱交換器（37,37）に流入する。第１熱交換器本体（35）及び第２熱交換器本体（36）では、ケーシング（12）の外部空気が各熱交換器本体（35,36）を構成する第１空気熱交換器（37,37）を通過する際に、冷媒が空気から吸熱してケーシング（12）内に取り込まれた空気を冷却する。上記第１空気熱交換器（37,37）を流出した冷媒は、再び圧縮機（50）に吸入されて圧縮される。
【００７２】
上記第２冷媒回路では、圧縮機（50）の運転を開始し、該圧縮機（50）で冷媒を圧縮する。上記圧縮機（50）から吐出された圧縮冷媒は、水熱交換器（51）に流入する。水熱交換器（51）では、冷媒が水熱交換器（51）内を流れる空調用水へ放熱して空調用水が加熱される。加熱された空調用水は、建物内へ供給される。水熱交換器（51）を流出した冷媒は、膨張弁で膨張した後、第２空気熱交換器（38,38）に流入する。第１熱交換器本体（35）及び第２熱交換器本体（36）では、ケーシング（12）の外部空気が各熱交換器本体（35,36）を構成する第２空気熱交換器（38,38）を通過する際に、冷媒が空気から吸熱してケーシング（12）内に取り込まれた空気を冷却する。上記第２空気熱交換器（38,38）を流出した冷媒は、再び圧縮機（50）に吸入されて圧縮される。
【００７３】
次に、作業者によるヒートポンプチラー（10）のメンテナンスについて説明する。
【００７４】
作業者がメンテナンス作業を行う際は、ヒートポンプチラー（10）を停止し、機械室カバー（32）を取り外して第１空気通路（41）および第２空気通路（42）を介して第１機械室（30）および第２機械室（31）の圧縮機等のメンテナンスを行う。また、正面扉（23a）又は背面扉（24a）を外して、室外機（11）のケーシング（12）の正面側又は背面側から電装品箱（53）等のメンテナンスを行うこともできる。
【００７５】
−実施形態１の効果−
本実施形態１によれば、第１庇部（13a）および第２庇部（13b）を設けたため、ケーシング（12）の上方に吹き出された空気が第１庇部（13a）および第２庇部（13b）よりも下方に流れるのを防止することができる。このため、ケーシング（12）の上方から吹き出された空気が再び熱交換器本体（35,36）を介してケーシング（12）の内部に取り込まれるのを防止することができる。これにより、室外機（11）における、いわゆるショートサーキットを防止することができる。
【００７６】
また、第１庇部（13a）および第２庇部（13b）の側面を頂部（39）以外の位置において直線状に形成したため、室外機（11）を並べて設置した場合に隣り合う室外機（11,11）の第１庇部（13a）と第２庇部（13b）とを合わせて隙間なく設置することができる。これにより、ケーシング（12）の上方に吹き出された空気が第１庇部（13a）および第２庇部（13b）よりも下方に流れるのを防止することができる。これにより、ヒートポンプチラー（10）における、いわゆるショートサーキットを防止することができる。
【００７７】
〈発明の実施形態２〉
次に、本実施形態２に係るヒートポンプチラー（10）について説明する。図１０に示すように、本実施形態２に係るヒートポンプチラー（10）は、上記実施形態１に係るヒートポンプチラー（10）に加えて水噴射器（60）を設けた点が異なっている。尚、本実施形態２では、実施形態１と異なっている部分についてのみ説明する。
【００７８】
具体的に、本実施形態２に係るヒートポンプチラー（10）は、水噴射器（60）を備えている。この水噴射器（60）は、各空気熱交換器（37,37,38,38）に水を噴射するためのものである。水噴射器（60）は、ファンケーシング（12）に対して取り付けられる。水噴射器（60）は、内部に水が流れる水配管（61）と、水配管（61）の途中に下方を向いて設けられる複数の噴射口（62）とを備えている。水配管（61）は、図示はしないが、水貯留部に接続され、ポンプなどによって水が供給されるように構成されている。尚、水噴射器（60）は、本発明に係る水まき装置を構成している。
【００７９】
水噴射器（60）では、水貯留部から水配管（61）に水が供給され、噴射口（62）から各空気熱交換器（37,37,38,38）に噴射される。
【００８０】
本実施形態２によれば、ファンケーシング（12）の側面（15a,15b）に水噴射器（60）を設けたため、第１熱交換器本体（35）および第２熱交換器本体（36）に簡単に水をまくことができる。これにより、第１空気熱交換器（37）および第２空気熱交換器（38）の熱交換性能を向上させることができる。その他の構成、作用・効果は実施形態１と同様である。
【００８１】
−実施形態２の変形例−
次に、本実施形態２の変形例について説明する。図１１に示すように、本変形例に係るヒートポンプチラー（10）は、実施形態２に係るヒートポンプチラー（10）とは、水噴射器（60）の取付位置が異なっている。
【００８２】
具体的には、本変形例に係るヒートポンプチラー（10）では、水噴射器（60）は、ファンケーシング（12）の下面に取り付けられている。その他の構成、作用・効果は実施形態２と同様である。
【００８３】
〈その他の実施形態〉
本発明は、上記実施形態について、以下のような構成としてもよい。
【００８４】
上記実施形態に係る室外機（11）は複数台を連結設置してもよいし、一台の室外機（11）を壁際に設置するなどしてもよい。
【００８５】
上記実施形態では、機械室カバー（32）を設けて、空気通路（41,42）と機械室（29）とを仕切るようにしたが、本発明はそれに限定されるものではない。具体的には、機械室カバー（32）を設けることなく、空気通路（41,42）に６台の圧縮機（50）、水熱交換器（51）、膨張機及び電装品箱（53）などを配置するようにしてもよい。つまり、本形態では、空気通路（41,42）に室外機（11）の構成機器である６台の圧縮機（50）、水熱交換器（51）、膨張機及び電装品箱（53）などを配置している。
【００８６】
尚、以上の実施形態は、本質的に好ましい例示であって、本発明、その適用物、あるいはその用途の範囲を制限することを意図するものではない。
【産業上の利用可能性】
【００８７】
以上説明したように、本発明は、熱交換器を有する冷凍装置について有用である。
【符号の説明】
【００８８】
１０            ヒートポンプチラー（冷凍装置）
１１            室外機
１２            ケーシング
１３ａ          第１庇部（第１庇部材）
１３ｂ          第２庇部（第２庇部材）
１４            吹出口
３５            第１熱交換器本体
３６            第２熱交換器本体
３７            第１空気熱交換器（第１熱交換部）
３８            第２空気熱交換器（第２熱交換部）
３９            頂部
６０            水噴射器（水まき装置）
【図１】
2013079735.tif 000003
【図２】
2013079735.tif 000004
【図３】
2013079735.tif 000005
【図４】
2013079735.tif 000006
【図５】
2013079735.tif 000007
【図６】
2013079735.tif 000008
【図７】
2013079735.tif 000009
【図８】
2013079735.tif 000010
【図９】
2013079735.tif 000011
【図１０】
2013079735.tif 000012
【図１１】
2013079735.tif 000013